(57)【要約】【課題】工期を短縮できる地下タンク及び地下タンクの施工方法を提供する。【解決手段】地下タンク１は、地盤Ｇ中に埋設された地下タンク１であって、筒状に形成された地中連続壁５と、地中連続壁５の内側に構築され、底版２と、底版２の外縁２ａに沿って設けられ、コンクリートで形成された側壁３と、側壁３のコンクリート内に埋設された側部ヒータ６と、を備え、側部ヒータ６は、側壁３の周方向に沿って複数設置されていることを特徴とする。【選択図】図１
2019031822.tif 000002
【特許請求の範囲】
【請求項１】
地盤中に埋設された地下タンクであって、
底版と、
該底版の外縁に沿って設けられ、コンクリートで形成された側壁と、
該側壁の前記コンクリート内に埋設された側部ヒータと、を備えることを特徴とする地下タンク。
【請求項２】
前記側部ヒータは、前記側壁の周方向に沿って複数設置されていることを特徴とする請求項１に記載の地下タンク。
【請求項３】
底版と、該底版の外縁に沿って設けられ、コンクリートで形成された側壁と、該側壁の前記コンクリート内に埋設された側部ヒータと、を備え、地盤中に埋設された地下タンクの施工方法であって、
前記地盤中に筒状の地中連続壁を構築する地中連続壁構築工程と、
前記地中連続壁の内側を掘削し、前記底版を構築する底版構築工程と、
前記底版の外縁に沿って側部ヒータを配置し、該側部ヒータを埋設するようにコンクリートを打設して、前記側壁を構築するとともに側部ヒータを設置する側壁構築及び側部ヒータ設置工程と、を備えることを特徴とする地下タンクの施工方法。
【発明の詳細な説明】
【技術分野】
【０００１】
本発明は、地下タンク及び地下タンクの施工方法に関するものである。
【背景技術】
【０００２】
従来から、液化天然ガス（ＬＮＧ）等の低温液体は、地中に埋設された地下タンクに貯蔵されている。地下タンクは、底版と、底版の周囲に沿って構築された側壁と、側壁の上部を覆う屋根と、を備えている。この地下タンク内の液体の冷熱により、地下タンク周辺の地盤が凍結することを防止するために、地下タンクの側方（側壁の外方）等に側部ヒータが設置されたものが広く知られている（下記の特許文献１〜３参照）。
【０００３】
このような地下タンクの施工手順としては、地中に筒状の地中連続壁を構築し、地中連続壁の内部を掘削して、底版、側壁、屋根等の躯体を構築し、最後に盛土を行っている。一方、側部ヒータの設置は、側壁の構築後に側部ヒータを設置するための穴を掘削（削孔）し、盛土をする際に穴内に側部ヒータを設置している。
【先行技術文献】
【特許文献】
【０００４】
【特許文献１】特開２０００−２８２４９５号公報
【特許文献２】特開昭６２−８３５９９号公報
【特許文献３】特開平６−２２１０２８号公報
【発明の概要】
【発明が解決しようとする課題】
【０００５】
しかしながら、側部ヒータの削孔作業は屋根の構築作業と時期が重なるとともに、側部ヒータの設置作業は盛土作業と時期が重なるため、屋根の構築作業や盛土作業が側部ヒータの削孔作業や設置作業に影響を与える（あるいは、側部ヒータの削孔作業や設置作業が屋根の構築作業や盛土作業に影響を与える）クリティカルパスとなっているという問題点がある。
【０００６】
そこで、本発明は、上記事情に鑑みてなされたものであり、工期を短縮できる地下タンク及び地下タンクの施工方法を提供する。
【課題を解決するための手段】
【０００７】
上記目的を達成するために、本発明は以下の手段を採用している。
すなわち、本発明に係る地下タンクは、地盤中に埋設された地下タンクであって、底版と、該底版の外縁に沿って設けられ、コンクリートで形成された側壁と、該側壁の前記コンクリート内に埋設された側部ヒータと、を備えることを特徴とする。
【０００８】
このように構成された地下タンクでは、側壁が配置される箇所に側部ヒータを配置して、コンクリートを打設することで、側部ヒータは側壁内に埋設される。よって、側部ヒータの設置を側壁の構築と同時にできるため、工期を短縮することができる。
【０００９】
また、本発明に係る地下タンクは、前記側部ヒータは、前記側壁の周方向に沿って複数設置されていることが好ましい。
【００１０】
このように構成された地下タンクでは、側壁の構築と同時に複数の側部ヒータを設置でき、効率的に作業を進めることができる。
【００１１】
また、本発明に係る地下タンクの施工方法は、底版と、該底版の外縁に沿って設けられ、コンクリートで構成された側壁と、該側壁の前記コンクリート内に埋設された側部ヒータと、を備え、地盤中に埋設された地下タンクの施工方法であって、前記地盤中に筒状の地中連続壁を構築する地中連続壁構築工程と、前記地中連続壁の内側を掘削し、前記底版を構築する底版構築工程と、前記底版の外縁に沿って側部ヒータを配置し、該側部ヒータを埋設するようにコンクリートを打設して、前記側壁を構築するとともに側部ヒータを設置する側壁構築及び側部ヒータ設置工程と、を備えることを特徴とする。
【００１２】
このように構成された地下タンクでは、側壁が配置される箇所に側部ヒータを配置して、コンクリートを打設することで、側部ヒータは側壁内に埋設される。よって、側部ヒータの設置を側壁の構築と同時にできるため、工期を短縮することができる。
また、側部ヒータを設置する工程がクリティカルパスから外れるため、従来と比較して工期短縮を図ることができる。
【発明の効果】
【００１３】
本発明に係る地下タンク及び地下タンクの施工方法によれば、工期を短縮することができる。
【図面の簡単な説明】
【００１４】
【図１】本発明の一実施形態に係る地下タンクを示す模式的な縦断面図である。
【図２】本発明の一実施形態に係る地下タンクを示す模式的な平面図である。
【発明を実施するための形態】
【００１５】
本発明の一実施形態に係る地下タンク及び地下タンクの施工方法について、図面を用いて説明する。
まず、地下タンクについて説明する。
図１は、本発明の一実施形態に係る地下タンクを示す模式的な縦断面図である。図２は、本発明の一実施形態に係る地下タンクを示す模式的な平面図である。
図１及び図２に示すように、本実施形態に係る地下タンク１は、例えば、ＬＮＧ貯蔵タンクとして使用されるものである。地下タンク１は、タンク本体１０と、タンク本体１０の外周面に沿って構築された地中連続壁５と、タンク本体１０の側壁３内に埋設された側部ヒータ６と、を備えている。
【００１６】
タンク本体１０は、地盤Ｇ面よりも下方に設置された平面視略円形状の底版２と、略円筒状の側壁３と、側壁３の上端部に支持されたドーム状の屋根４と、を有している。
【００１７】
底版２は、鉄筋コンクリート造で、掘削された地盤Ｇ上に設けられた砕石層１１の上部に構築されている。底版２の内部には、地下タンク１内の温度調整を行う底部ヒータ（不図示）が設置されている。
【００１８】
側壁３は、鉄筋コンクリート造で、下端部３ｂが底版２の外縁部２ａに剛に接合されている。底版２及び側壁３により、有底円筒状に構成されている。底版２及び側壁３の内面には、図示しない保冷材及びメンブレン材が設置されている。
【００１９】
側壁３の上部側の外周には地下タンク１の施工中に盛土されているため、地下タンク１は地下に配置された構成となっている。
【００２０】
側壁３内には、複数の側部ヒータ６が埋設されている。側部ヒータ６は、筒状の側壁３の周方向に間隔を有して配置されている。側部ヒータ６は、地盤Ｇの凍結膨張を抑制するためのものである。本実施形態では、側部ヒータ６は、平面視略円形状をなしている。例えば、側部ヒータ６は、温水を流すため２重構造で構成されている。
【００２１】
屋根４は、鉄筋コンクリート造で、平面視において円形状に形成され、側壁３の上端部３ａに接続されている。
【００２２】
また、側壁３の下端部３ｂ側の外周の地盤Ｇには、側壁３の外周面に沿った形状で平面視円環状の地中連続壁５が設けられている。
【００２３】
地中連続壁５は、土留めとして地盤Ｇの崩落を防ぐ機能や止水機能を備えている。地中連続壁５は、地下タンク１の底版２よりもさらに深く構築されており、下端部５ｂは難透水層（洪積粘性土層）１３まで達している。地中連続壁５は、例えば、鉄筋コンクリートなどで構築されている。
【００２４】
次に、上述した地下タンク１の施工方法について説明する。
予め、地盤改良工事や、地盤Ｇの表層部を盤下げ掘削し周囲の地盤Ｇよりも低くなるようにする地盤表層部掘削工事を行っておく。
【００２５】
（削孔工程）
地中連続壁５の設置予定箇所に沿って、掘削溝７を設ける。平面視で、掘削溝７は環状をなしている。
【００２６】
（地中連続壁構築工程）
掘削溝７に、鉄筋を配置してコンクリートを打設する周知技術により、地中連続壁５を構築する。
【００２７】
（底版、側壁構築工程及び側部ヒータ設置工程）
地中連続壁５の内部を掘削し、鉄筋を配置してコンクリートを打設する周知技術により、底版２を構築する。
また、底版２の外縁に沿って（側壁３の設置予定箇所内に）、側部ヒータ６を設置する。鉄筋を配置してコンクリートを打設する周知の技術により、側壁３を構築する。コンクリートを打設することにより、側部ヒータ６は側壁３のコンクリート内に埋設される。
【００２８】
（盛土工程）
側壁３の外周面が地中に埋設されるように、側壁３の上端部３ａ付近の高さまで盛土を行う。
【００２９】
このように構成された地下タンク１及び地下タンク１の施工方法によれば、側壁３が配置される箇所に側部ヒータ６を配置して、コンクリートを打設することで、側部ヒータ６は側壁３内に埋設される。よって、側部ヒータ６の設置を側壁３の構築と同時にできるため、工期を短縮することができる。
【００３０】
また、側部ヒータを６設置する工程がクリティカルパスから外れるため、従来と比較して工期短縮を図ることができる。
【００３１】
なお、上述した実施の形態において示した各構成部材の諸形状や組み合わせ等は一例であって、本発明の主旨から逸脱しない範囲において設計要求等に基づき種々変更可能である。
【符号の説明】
【００３２】
１…地下タンク
２…底版
３…側壁
４…屋根
５…地中連続壁
６…側部ヒータ
７…掘削溝
１０…タンク本体
１１…砕石層
Ｇ…地盤
【図１】
2019031822.tif 000003
【図２】
2019031822.tif 000004